(57)【要約】【課題】安全にテレビやラジオの音声を聴きながら、運動や家事等をすることができる携帯用受信装置を提供すること。【解決手段】右筐体２及び左筐体３と、これらの筐体２，３に接続されると共に首掛け可能な形状で且つ弾性変形可能な首掛けバンド４と、前記各筐体２，３に設けられた右スピーカ６及び左スピーカ２５と、前記右筐体２に収容される電池７及び左筐体３に内蔵される受信回路を含む回路基板１６とを有し、前記受信回路に接続されるアンテナ２９が、前記首掛けバンド４に内蔵される携帯用受信装置としての携帯用ラジオ受信機１であり、前記アンテナ２９によって受信され、前記受信回路によって復調された音声信号を、装着時に使用者の耳の下方に位置する前記各スピーカ６，２５によって音声化し、使用者の耳を塞ぐことなくラジオやテレビの音声を聴きながら、周囲の音も聞くことができる。【選択図】図３
2019062454.tif 000002
【特許請求の範囲】
【請求項１】
一又は複数の筐体と、この筐体に接続されて設けられると共に首掛け可能な形状で且つ弾性変形可能に形成される首掛けバンドと、前記筐体に設けられるスピーカと、前記筐体に収容される電池及び受信回路とを有し、この受信回路に接続されるアンテナが、前記首掛けバンドに内蔵されることを特徴とする携帯用受信装置。
【請求項２】
右筐体と左筐体とを有し、これらの右筐体と左筐体を接続するように前記首掛けバンドが設けられ、前記右筐体及び／又は左筐体に前記スピーカが設けられ、前記右筐体及び／又は左筐体に前記電池が収容され、前記右筐体又は左筐体に前記受信回路が収容されると共に、前記アンテナが、前記受信回路が設けられた側の筐体から他の筐体に向かって前記首掛けバンド内に通されることを特徴とする請求項１記載の携帯用受信装置。
【請求項３】
前記アンテナの先端が、一方の筐体内に設けられる前記受信回路から、前記首掛けバンド内における他方の筐体側の端部まで延びることを特徴とする請求項２記載の携帯用受信装置。
【発明の詳細な説明】
【技術分野】
【０００１】
本発明は、身に付けて使用することができるラジオ受信機等の携帯用受信装置に関するものである。
【背景技術】
【０００２】
従来、この種の携帯用受信装置としては、小型の受信機本体と、この受信機本体に接続されるイヤホーンとを有し、このイヤホーンのイヤホーンコードをアンテナとして利用する小型受信機が知られている（例えば、特許文献１参照。）。このような小型受信機を用いる場合、使用者は、受信機本体を携帯し、この受信機本体に接続されたイヤホーンを耳に装着することで、ラジオやテレビの音を聴くようにしている。
【先行技術文献】
【特許文献】
【０００３】
【特許文献１】特開平７−７４４１号公報
【発明の概要】
【発明が解決しようとする課題】
【０００４】
しかしながら、このような小型受信機は、放送波を受信するためにイヤホーンコードが必要である。従って、このような小型受信機を使用する際には、耳を塞ぐことになる。このため、このような小型受信機を用いてラジオやテレビの音を聴きながら運動や家事等をすると、周囲の音が聞き取りづらく、最悪の場合、使用者を危険に晒してしまうという問題があった。
【０００５】
また、このような小型受信機を携帯する場合、受信機本体をポケットに入れたり携帯用ストラップを用いて首からぶら下げたりすることになる。しかしながら、前者の携帯方法では、Ｔシャツ等、ポケットのない服を着用している場合に携帯できず、後者の携帯方法では、体の動きに伴って揺れて不安定になるため、運動や家事をしながら使用するには不向きであるという問題があった。
【０００６】
本発明は以上の問題点を解決し、安全にテレビやラジオの音声を聴きながら、運動や家事等をすることができる携帯用受信装置を提供することを目的とする。
【課題を解決するための手段】
【０００７】
本発明の請求項１に記載の携帯用受信装置は、一又は複数の筐体と、この筐体に接続されて設けられると共に首掛け可能な形状で且つ弾性変形可能に形成される首掛けバンドと、前記筐体に設けられるスピーカと、前記筐体に収容される電池及び受信回路とを有し、この受信回路に接続されるアンテナが、前記首掛けバンドに内蔵されるものである。
【０００８】
また、本発明の請求項２に記載の携帯用受信装置は、請求項１において、右筐体と左筐体とを有し、これらの右筐体と左筐体を接続するように前記首掛けバンドが設けられ、前記右筐体及び／又は左筐体に前記スピーカが設けられ、前記右筐体及び／又は左筐体に前記電池が収容され、前記右筐体又は左筐体に前記受信回路が内蔵されると共に、前記アンテナが、前記受信回路が設けられた側の筐体から他の筐体に向かって前記首掛けバンド内に通されるものである。
【０００９】
更に、本発明の請求項３に記載の携帯用受信装置は、請求項２において、前記アンテナの先端が、一方の筐体内に設けられる前記受信回路から、前記首掛けバンド内における他方の筐体側の端部まで延びるものである。
【発明の効果】
【００１０】
本発明の請求項１に記載の携帯用受信装置は、以上のように構成することにより、この携帯用受信装置の首掛けバンドを使用者の首に掛けて装着することで、前記首掛けバンド内に設けられた前記アンテナによって受信され、前記受信回路によって復調された音声信号を、装着時に使用者の耳の下方に位置する前記筐体内に設けられたスピーカによって音声化し、聴くことができる。このため、使用者は、耳を塞ぐことなくラジオやテレビの音声を聴きながら、周囲の音も聞くことができる。
【００１１】
なお、右筐体と左筐体とを有し、これらの右筐体と左筐体を接続するように前記首掛けバンドが設けられ、前記右筐体及び／又は左筐体に前記スピーカが設けられ、前記右筐体及び／又は左筐体に前記電池が収容され、前記右筐体又は左筐体に前記受信回路が収容されると共に、前記アンテナが、前記受信回路が設けられた側の筐体から他の筐体に向かって前記首掛けバンド内に通されることで、使用者に装着した際にバランス良く使用することができる。
【００１２】
また、前記アンテナの先端が、一方の筐体内に設けられる前記受信回路から、前記首掛けバンド内における他方の筐体側の端部まで延びることにより、受信感度を高めつつ、製造を容易にすることができる。
【図面の簡単な説明】
【００１３】
【図１】本発明の一実施形態を示す携帯用受信装置の正面図である。
【図２】同、右側面図である。
【図３】同、電気回路の概略説明図である。
【図４】本発明の他の実施形態を示す携帯用受信装置の正面図である。
【発明を実施するための形態】
【００１４】
以下、本発明の実施形態について、図１乃至図３に基づいて説明する。１は本発明の携帯用受信装置としての携帯用ラジオ受信機である。なお、この携帯用ラジオ受信機１はＦＭ放送を受信するものであり、後述するアンテナ２９はＦＭ放送を受信するものである。前記携帯用ラジオ受信機１は、右筐体２と、左筐体３と、首掛けバンド４とを有して構成される。
【００１５】
前記右筐体２の正面側には、右放音孔５が形成される。また、前記右筐体２には、右スピーカ６が内蔵される。そして、この右スピーカ６が発生させた音は、前記右放音孔５から前記右筐体２外に放出される。更に、前記右筐体２内には、前記携帯用ラジオ受信機１を作動させるための電源となる電池７が交換可能に収容される。本例の場合、この電池７は２本であるが、１本又は３本以上としても良い。また、本例の場合、この電池７は乾電池であるが、他の一次電池や二次電池であっても良い。
【００１６】
前記左筐体３の正面側には、左放音孔８及び表示窓９が設けられる。また、前記左筐体３の正面側には、同調ボタン１０，１１及びプリセットボタン１２，１３，１４が設けられる。更に、前記左筐体３の左側面には、ダイヤル１５が突出する。前記左筐体３内には、同調回路を含む回路基板１６が内蔵される。そして、この回路基板１６には、同調スイッチ１７，１８、プリセットスイッチ１９，２０，２１、オン・オフスイッチ２２及び可変抵抗２３が実装される。なお、前記オン・オフスイッチ２２と可変抵抗２３は、実際には一つの素子である。前記同調スイッチ１７，１８は、それぞれ前記同調ボタン１０，１１により押すことができる。同様に、前記プリセットスイッチ１９，２０，２１は、それぞれ前記プリセットボタン１２，１３，１４により押すことができる。そして、前記オン・オフスイッチ２２と可変抵抗２３は、前記ダイヤル１５を回動させることで操作される。更に、前記回路基板１６には、液晶表示素子２４及び左スピーカ２５が接続される。これら液晶表示素子２４及び左スピーカ２５は、前記左筐体３に内蔵される。そして、前記液晶表示素子２４は、前記表示窓９から視覚的に露出する。また、前記左スピーカ２５が発生させた音は、前記左放音孔８から前記左筐体３外に放出される。そして、前記回路基板１６には、一対の給電線２６、一対の右信号線２７、一対の左信号線２８、及びアンテナ２９が接続される。そして、前記左信号線２７は、前記回路基板１６と左スピーカ２５とを電気的に接続する。
【００１７】
前記首掛けバンド４は、弾性変形可能で且つ滑りにくいエラストマー等で形成される。そして、この首掛けバンド４は、正面視で両端が略平行となるＣ字状に形成される。即ち、この首掛けバンド４は、外力により変形したとしても、外力が除かれれば元のＣ字状に復元する。また、前記首掛けバンド４は、図２に示すように、その両端４Ｒ，４Ｌが垂直となる姿勢において、側面視で後方に湾曲する。即ち、前記首掛けバンド４は、前記携帯用ラジオ受信機１を身体に装着した際に、首から肩にかけての形状に沿うような形状に形成される。そして、前記首掛けバンド４がこのような形状に形成されることで、前記携帯用ラジオ受信機１を身体に装着した際に、前記首掛けバンド４は、衣服或いは肌に広い範囲で接触する。更に、前記首掛けバンド４の右端４Ｒには、前記右筐体２が取り付けられ、左端４Ｌには、前記左筐体３が取り付けられる。そして、前記首掛けバンド４の右端４Ｒは、前記右筐体２内に挿入された状態で固定される。前記首掛けバンド４の左端４Ｌも同様に、前記左筐体３内に挿入された状態で固定される。
【００１８】
更に、前記首掛けバンド４内には、前記給電線２６、前記右信号線２８，及び前記アンテナ２９が配線される。なお、前記首掛けバンド４内において、前記給電線２６と右信号線２８は、前記アンテナ２９とは所定の間隔を隔てて配線される。前記給電線２６は、前記左筐体３に内蔵された前記回路基板１６と、前記右筐体２に収容された前記電池７とを電気的に接続する。同様に、前記右信号線２７は、前記左筐体３に内蔵された前記回路基板１６と、前記右筐体２に内蔵された右スピーカ６とを電気的に接続する。一方、前記アンテナ２９は、その基端２９Ｐが前記回路基板１６に電気的に接続されると共に、前記アンテナ２９の先端２９Ｄが前記首掛けバンド４の右端４Ｒに位置する。このように、前記アンテナ２９を前記首掛けバンド４内に配することで、アンテナのための突起物を設ける必要がないので、安全である。そして、前述した通り、前記首掛けバンド４の右端４Ｒは、前記右筐体２内で固定されているので、前記右筐体２内に位置することになるが、前記右端４Ｒよりも先まで出ることはない。このように、前記アンテナ２９を、前記左筐体３から前記首掛けバンド４の右端４Ｒまで伸ばすことで、前記アンテナ２９の長さを長く取ることができるので、受信感度を高めることができる。一方、前記アンテナ２９の先端２９Ｄを前記首掛けバンド４の右端４Ｒまでとすることで、前記アンテナ２９の先端２９Ｄを前記右筐体２内に固定する必要がなくなるので、製造を容易に行うことができるばかりでなく、前記右筐体２内に収容された前記電池７から前記アンテナ２９への静電気の影響を排除することができる。従って、前記アンテナ２９の先端２９Ｄを、前記首掛けバンド４の右端４Ｒまでとすることで、受信性能と電気的安全性と製造コストの最も良いバランスを取ることができる。
【００１９】
なお、前記右筐体２及び左筐体３の側面には、それぞれ反射体３０が設けられる。また、前記首掛けバンド４の中央部にも、反射体３１が設けられる。そして、前記携帯用ラジオ受信機１を使用者の身体に装着すると、前記反射体３０はそれぞれ左右を向き、前記反射体３１は後方を向く。従って、これらの反射体３０，３１は、左右及び後方からの光を反射する。これによって、使用者が夜間に屋外で運動する際に前記携帯用ラジオ受信機１を使用する場合等、自動車等の前照灯の光を反射して、運転手に使用者の存在を知らしめることができる。
【００２０】
次に、本実施形態の作用について説明する。まず使用者は、前記携帯用ラジオ受信機１を首に掛ける。この際、前記右筐体２を使用者の右側、前記左筐体３を使用者の左側とすることで、前記放音孔５，８が使用者の耳の方向に解放する姿勢となる。また、前述した通り、前記首掛けバンド４の両端４Ｒ，４Ｌにそれぞれ前記右筐体２及び左筐体３が設けられるので、バランス良く使用することができる。この状態から前記ダイヤル１５を操作して前記オン・オフスイッチ２２をオンにすることで、前記アンテナ２９によって受信された放送波が、前記回路基板１６上の受信回路によって音声信号に復調され、更に、前記回路基板１６上の図示しない増幅回路によって増幅された後、前記右信号線２７及び左信号線２８を経て、前記右スピーカ６及び左スピーカ２５によって音声化される。なお、前述したように、前記アンテナ２９の先端２９Ｄが前記首掛けバンド４の右端４Ｒまで延びており、アンテナ２９の長さが十分長くされていることで、受信感度が高くされているので、放送波を良好に受信することができる。前記右スピーカ６及び左スピーカ２５から放出される音声の音量は、前記ダイヤル１５を用いて前記可変抵抗２３を操作することによって調節することができる。なお、前記オン・オフスイッチ２２をオンにした直後は、前回選局した放送局の放送波を受信するように設定されている。そして、選局は、前記同調ボタン１０，１１を用いて前記同調スイッチ１７，１８を操作するか、又は前記プリセットボタン１２，１３，１４を用いて前記プリセットスイッチ１９，２０，２１を操作することで行われる。なお、前記液晶表示素子２４には、選局した放送局の周波数、電池残量、プリセット放送局の番号等が表示される。
【００２１】
前記右筐体２及び左筐体３は、前記携帯用ラジオ受信機１を使用者の身体に装着した際に、使用者の鎖骨付近に位置する。即ち、前記右スピーカ６及び左スピーカ２５は、使用者の耳の下方で且つ耳に近い位置となる。このため、低音量であっても、使用者は前記右スピーカ６及び左スピーカ２５から放出された音声を聴き取ることができる。その一方で、前記右スピーカ６及び左スピーカ２５から放出される音声を低音量にしても、使用者が十分聴き取ることができるので、周囲にいる他の人には、前記右スピーカ６及び左スピーカ２５から放出された音声を聞こえにくくすることができる。このため、ある程度の距離があれば、周囲に他の人がいたとしても、迷惑になりにくい。また、前記携帯用ラジオ受信機１が使用者の耳を塞ぐことがないので、使用者は周囲の音も同時に聞き取ることができる。従って、前記携帯用ラジオ受信機１を使用中の使用者の安全性を高めることができる。
【００２２】
なお、前述した通り、左右のバランスを良好にするために、前記首掛けバンド４の両端４Ｒ，４Ｌにそれぞれ前記右筐体２及び左筐体３が設けられるものの、前記右筐体２と左筐体３では、内蔵又は交換可能に収容される要素が異なるため、重量が多少異なる。本例の場合、前記電池７が収容された前記右筐体２の方が、前記左筐体３よりも多少重い。このため、前記携帯用ラジオ受信機１を使用者の身体に装着すると、重力によって、前記右筐体２側が下がるように力が働く。しかしながら、前述したように、前記首掛けバンド４が滑りにくいエラストマー等で形成されると共に、首から肩にかけての形状に沿うように湾曲して形成されることで、衣服又は肌との接触面積を大きくすることができるので、使用者の身体に装着した際に、衣服又は肌との間に十分な摩擦力を働かせることができる。従って、前記右筐体２と左筐体３の重量が多少アンバランスであったとしても、前記右筐体２側がずり落ちるのを抑えることができる。このため、軽い運動や家事程度の振動や衝撃を受けたとしても、前記右筐体２と左筐体３をほぼ同じ位置に保つことができる。
【００２３】
以上のように本発明の携帯用受信装置としての携帯用ラジオ受信機１は、右筐体２及び左筐体３と、これらの筐体２，３に接続されると共に首掛け可能な形状で且つ弾性変形可能な首掛けバンド４と、前記各筐体２，３に設けられた右スピーカ６及び左スピーカ２５と、前記右筐体２に収容される電池７及び左筐体３に内蔵される受信回路を含む回路基板１６とを有し、前記回路基板１６の受信回路に接続されるアンテナ２９が、前記首掛けバンド４に内蔵されることで、前記首掛けバンド４内のアンテナ２９によって受信され、前記受信回路によって復調された音声信号を、装着時に使用者の耳の下方に位置する前記各筐体２，３内に設けられたスピーカ６，２５によって音声化し、聴くことができるので、使用者が耳を塞ぐことなくラジオやテレビの音声を聴きながら、周囲の音も聞くことができる。
【００２４】
また、前記携帯用ラジオ受信機１は、前記右筐体２と左筐体３とを接続するように前記首掛けバンド４が設けられ、前記右筐体２と左筐体３の両方に前記右スピーカ６及び左スピーカ２５が設けられ、前記右筐体に前記電池７が収容され、前記左筐体に前記回路基板１６が内蔵されると共に、前記アンテナが、前記左筐体３から右筐体２に向かって前記首掛けバンド４内に通されることで、使用者に装着した際にバランス良く使用することができる。
【００２５】
更に、前記アンテナ２９の先端２９Ｄが、前記左筐体３内に設けられる前記回路基板１６から、前記首掛けバンド４内における右端４Ｒまで延びることにより、受信感度を高めつつ、製造を容易にすることができる。
【００２６】
なお、本発明は以上の実施形態に限定されるものではなく、発明の要旨の範囲内で種々の変形実施が可能である。例えば、上記実施形態では、右筐体に電池、左筐体に受信回路を含む回路基板を設けたが、左筐体に電池、右筐体に回路基板を設けても良い。また、電池及び回路基板を左右の筐体にそれぞれ設けても良い。更に、上記実施形態では、首掛けバンドの両端に筐体を設けたが、図４に示すように、首掛けバンドの片側のみに筐体を設けても良い。
【符号の説明】
【００２７】
１  携帯用ラジオ受信機（携帯用受信装置）
２  右筐体
３  左筐体
４  首掛けバンド
４Ｒ  右端
６  右スピーカ
７  電池
１６  同調回路を含む回路基板
２５  左スピーカ
２９  アンテナ
２９Ｄ  先端
【図１】
2019062454.tif 000003
【図２】
2019062454.tif 000004
【図３】
2019062454.tif 000005
【図４】
2019062454.tif 000006